(57)【要約】【課題】空調対象ゾーンに対し自然通風的に供給し得る外気の風量を正確に把握できるようにする。【解決手段】空調対象ゾーンＺに対し自然通風的に供給し得る外気ＯＡの風量である自然外気風量Ｑｆにつき、その自然外気風量Ｑｆを変化させる変化要因Δｔｚｏ，ｄｗ，ｖｗの状態を要因状態検出手段ｓ３，ｓ７〜ｓ９により検出して、その検出情報に基づき設定演算式にしたがって自然外気風量Ｑｆを演算する風量予測処理を行うとともに、自然通風利用空調運転の実施下において風量検出手段ｓ１７により検出した自然外気風量Ｑｆの実測値（＝Ｑｅ）と、その実測値を採取したときにおける要因状態検出手段ｓ３，ｓ７〜ｓ９の検出情報と、その検出情報に基づき演算した自然外気風量Ｑｆの演算値とに基づいて、設定演算式を補正する演算式補正処理を行う。【選択図】        図１０
2004271094.tif 000002
【特許請求の範囲】
【請求項１】
空調対象ゾーンに対し外気を自然通風的に供給する自然通風利用の空調運転において前記空調対象ゾーンに対し自然通風的に供給し得る外気の風量である自然外気風量につき、
その自然外気風量を変化させる変化要因の状態を要因状態検出手段により検出して、その要因状態検出手段の検出情報に基づき設定演算式にしたがって前記自然外気風量を演算する風量予測処理を行うとともに、
前記自然通風利用空調運転の実施下において風量検出手段により検出した前記自然外気風量の実測値と、その実測値を採取したときにおける前記要因状態検出手段の検出情報と、その実測値採取時における前記要因状態検出手段の検出情報に基づき前記設定演算式にしたがって演算した前記自然外気風量の演算値とに基づき、前記設定演算式を補正する演算式補正処理を行う空調設備における外気風量演算方法。
【請求項２】
前記設定演算式として、前記空調対象ゾーンのゾーン内温度と外気温度との温度差、又は、前記空調対象ゾーンから排気を受け入れる排気チャンバのチャンバ内温度と外気温度との温度差、又は、屋外風の風向、又は、屋外風の風速、又は、屋外風の風速の二乗値の少なくとも１つをパラメータとする演算式を用い、
この使用パラメータついての状態値を前記要因状態検出手段により検出して前記設定演算式に代入することで前記自然外気風量を演算する請求項１記載の空調設備における外気風量演算方法。
【請求項３】
前記設定演算式として次式で示される演算式を用い、
Ｑｆ＝ａ×Δｔｚｏ＋ｂ×｜ｓｉｎ（ｄｗ−θ）｜＋ｃ×ｖｗ２＋ｄ×ｖｗ＋Ｋ
但し、Ｑｆ：自然外気風量演算値
Δｔｚｏ：空調対象ゾーンのゾーン内温度と外気温度との温度差
ｄｗ：屋外風の風向
θ：補正値
ｖｗ：屋外風の風速
Ｋ：定数
この演算式におけるΔｔｚｏ、ｄｗ，ｖｗ夫々の状態値を前記要因状態検出手段により検出して前記設定演算式に代入することで前記自然外気風量を演算する請求項２記載の空調設備における外気風量演算方法。
【請求項４】
請求項１〜３のいずれか１項に記載した外気風量演算方法を使用する空調設備であって、
前記要因状態検出手段の検出情報に基づき前記設定演算式にしたがって前記自然外気風量を演算する風量演算手段を設け、
この風量演算手段を、前記自然通風利用空調運転の実施下において前記風量検出手段により検出した前記自然外気風量の実測値と、その実測値を採取したときにおける前記要因状態検出手段の検出情報と、その実測値採取時における前記要因状態検出手段の検出情報に基づき前記設定演算式にしたがって演算した前記自然外気風量の演算値とに基づき、前記設定演算式を自動補正する構成にしてある空調設備。
【発明の詳細な説明】
【０００１】
【発明の属する技術分野】
本発明は、空調設備における外気風量演算方法、及び、その演算方法を使用する空調設備に関し、詳しくは、空調対象ゾーンに対し外気を自然通風的に供給する自然通風利用の空調運転において空調対象ゾーンに対し自然通風的に供給し得る外気風量の演算方法、及び、その演算方法を用いて運転管理を行う空調設備に関する。
【０００２】
【従来の技術】
従来、外気利用空調運転の実施を可能にした空調設備（特に外気冷房を可能にした空調設備）としては、次の（Ｍ１）〜（Ｍ３）の３つの運転の選択的実施を可能にしたものが提案されている（次記の非特許文献１参照）。
【０００３】
（Ｍ１）床配備ファン使用の外気冷房運転
床に配備したファンにより外気（外気冷房に使用し得る低エンタルピの外気）を床部の吹出口から空調対象ゾーンに供給するとともに、その外気供給に伴い天井部の排気口を通じて空調対象ゾーンから排出される空気（暖気）をドラフト力を利用した状態で屋外に排出し、これにより、外気導入による外気冷房効果のみにより空調対象ゾーンの冷房負荷に対応する。
【０００４】
（Ｍ２）冷房運転
空調機による冷却空気（一般には一部換気用の外気を含む）を床部の吹出口から空調対象ゾーンに供給するとともに、その冷却空気の供給に伴い天井部の排気口を通じて空調対象ゾーンから排出される空気を還気として空調機に戻し、これにより、空調対象ゾーンと空調機との間で空気循環させる形態で、空調機の冷却出力のみにより空調対象ゾーンの冷房負荷に対応する。
【０００５】
（Ｍ３）一部外気冷房使用の冷房運転
天井部の排気口を通じて空調対象ゾーンから戻る空気（還気）と外気（低エンタルピの外気）との混合空気を空調機で冷却して、その冷却空気を床部の吹出口から空調対象ゾーンに供給し、そして、天井部の排気口を通じて空調対象ゾーンから排出される空気の一部を上記還気として空調機に戻すとともに、他部を屋外に排出し、これにより、外気導入による外気冷房効果と空調機の冷却出力とにより空調対象ゾーンの冷房負荷に対応する。
【０００６】
そして、この空調設備では、床配備ファン使用の外気冷房運転において、ドラフト力による空気排出に伴い空調対象ゾーンに導入される外気の風量（すなわち、自然通風的に空調対象ゾーンに供給される外気の風量）が温度要因などにより種々変化する不確定なものであることに対し、床配備ファンの運転により空調対象ゾーンへの外気導入量を強制的に確保し、そのことで、所要の外気冷房効果を確実に得るようにしていた。
【０００７】
【非特許文献１】
空気調和・衛生工学会論文集  Ｎｏ８２，２００１年７月
【０００８】
【発明が解決しようとする課題】
しかし、上記した従来の空調設備では、外気エンタルピが低いとき床配備ファン使用の外気冷房運転を実施して空調機の消費エネルギを節減することで、省エネ化を図っているが、その床配備ファン使用の外気冷房運転において、所要の外気導入量を安定的に確保し得る送風能力の床配備ファンを運転するため、床配備ファンの消費動力が嵩み、この点で、未だ省エネ効果が低い問題があった。
【０００９】
一方、省エネ効果の一層の促進を目的として、外気エンタルピが低いとき、ドラフト力（すなわち、温度差による空気の比重差）や屋外風による誘引などを利用した空気排出に伴い、空調対象ゾーンに対し外気を自然通風的に供給するようにし、これにより、送風動力を不要ないし補助的な軽微なもので済ませながら外気冷房効果を得るようにした空調設備も提案されているが、この場合、空調対象ゾーンに対し自然通風的に供給し得る外気の風量（後述の自然外気風量）が前述の如く不確定なものである為、その自然通風的な外気供給による外気冷房運転の実施において、空調対象ゾーンの冷房負荷を十分に処理し切れない事態を招き易い問題があり、換言すれば、その自然通風的な外気供給による外気冷房運転は、それを実際に実施してみなければ、空調対象ゾーンの冷房負荷を十分に処理し得るかどうか判らないものであった。
【００１０】
この実情に鑑み、本発明の主たる課題は、合理的な風量演算形態を採ることで、空調設備（特に、外気冷房運転を可能にした空調設備）における上記の如き問題を効果的に解消し得るようにする点にある。
【００１１】
【課題を解決するための手段】
〔１〕請求項１に係る発明は、空調設備における外気風量演算方法に係り、その特徴は、
空調対象ゾーンに対し外気を自然通風的に供給する自然通風利用の空調運転において前記空調対象ゾーンに対し自然通風的に供給し得る外気の風量である自然外気風量につき、
その自然外気風量を変化させる変化要因の状態を要因状態検出手段により検出して、その要因状態検出手段の検出情報に基づき設定演算式にしたがって前記自然外気風量を演算する風量予測処理を行うとともに、
前記自然通風利用空調運転の実施下において風量検出手段により検出した前記自然外気風量の実測値と、その実測値を採取したときにおける前記要因状態検出手段の検出情報と、その実測値採取時における前記要因状態検出手段の検出情報に基づき前記設定演算式にしたがって演算した前記自然外気風量の演算値とに基づき、前記設定演算式を補正する演算式補正処理を行う点にある。
【００１２】
つまり、この方法によれば、上記の風量予測処理において、自然外気風量（空調対象ゾーンに対し自然通風的に供給し得る外気の風量）を変化させる変化要因の状態を検出し、その検出情報に基づき自然外気風量を演算するから、上記変化要因の状態変化にかかわらず、また、空調対象ゾーンに対し外気を自然通風的に供給する自然通風利用の空調運転を実際に実施せずとも、その自然通風利用の空調運転において空調対象ゾーンに対し自然通風的に供給し得る外気の風量を正確に把握することができ、これにより、例えば、先述の如き自然通風的な外気供給による外気冷房運転の実施において、空調対象ゾーンの冷房負荷を十分に処理し切れない事態を不測に招くといった問題を効果的に回避することができる。
【００１３】
また、このように、空調対象ゾーンに対し自然通風的に供給し得る外気の風量を正確に把握することができて、自然通風利用空調運転の実施が可能か否かを的確に判断し得ることにより、ファンにより空調対象ゾーンへの外気導入量を強制的に確保する運転や空調負荷を空調機出力だけで処理する運転（すなわち、先述した従来の空調設備で選択的に実施する３つの運転に相当する運転）の必要以上の実施を回避することができ、この点で省エネ化も一層効果的に促進することができる。
【００１４】
そしてまた、請求項１に係る発明の上記方法によれば、自然外気風量の演算に用いる設定演算式を、自然通風利用空調運転の実施下において風量検出手段により検出した自然外気風量の実測値と、その実測値を採取したときにおける要因状態検出手段の検出情報（上記変化要因の状態）と、その実測値採取時における要因状態検出手段の検出情報に基づき設定演算式にしたがって演算した自然外気風量の演算値とに基づき補正する（略言すれば、自然外気風量の実測値と演算値との偏差に基づき、演算式中における自然外気風量と上記変化要因の状態との相関関係を補正する）から、初期設定した設定演算式を継続して固定的に使用するのに比べ、空調対象ゾーンに対し自然通風的に供給し得る外気風量の演算精度を一層効果的に高めることができ、これにより、負荷対応面や省エネ面での上記の如き効果を一層効果的に達成することができる。
【００１５】
なお、請求項１に係る発明の実施において、自然外気風量の演算対象とする自然通風利用の空調運転は、外気をそのまま空調対象ゾーンに供給して冷房負荷の処理に用いる運転（いわゆる外気冷房運転）に限らず、外気を冷却ないし加熱した状態で空調対象ゾーンに供給して冷房負荷や暖房負荷の処理に用いる運転、あるいは、清浄度維持などのための換気を主目的として外気を空調対象ゾーンに供給する運転など、外気を自然通風的に空調対象ゾーンに供給する空調運転であれば、どのような運転であってもよい。
【００１６】
また、その自然通風利用の空調運転は、空調対象ゾーンに対する外気供給を温度差による空気の比重差や屋外風による誘引などを利用した自然力のみにより行う運転に限られるものではなく、自然力による空調対象ゾーンへの外気供給を小能力のファンにより補助する運転（逆言すれば、その小能力ファンの運転だけでは所要の外気風量を確保できない運転）であってもよく、種々の要因の影響を受ける自然力を利用して空調対象ゾーンに対し自然通風的に外気を供給する運転であればよい。
【００１７】
要因状態検出手段の検出対象とする変化要因は、対象とする自然通風利用の空調運転において自然外気風量（空調対象ゾーンに対し自然通風的に供給し得る外気の風量）に影響を与えるものであれば、温度、風速、風向、エンタルピ、湿度雨量など、どのようなものであってもよく、また、一種ないし複数種のいずれであってもよい。
【００１８】
請求項１に係る発明の実施において、設定演算式を用いた自然外気風量の演算、及び、設定演算式の補正は夫々、人為処理により行う形態、あるいは、機械的処理により自動的に行う形態のいずれを採ってもよい。
【００１９】
〔２〕請求項２に係る発明は、請求項１に係る発明の実施に好適な実施形態を特定するものであり、その特徴は、
前記設定演算式として、前記空調対象ゾーンのゾーン内温度と外気温度との温度差、又は、前記空調対象ゾーンから排気を受け入れる排気チャンバのチャンバ内温度と外気温度との温度差、又は、屋外風の風向、又は、屋外風の風速、又は、屋外風の風速の二乗値の少なくとも１つをパラメータとする演算式を用い、
この使用パラメータついての状態値を前記要因状態検出手段により検出して前記設定演算式に代入することで前記自然外気風量を演算する点にある。
【００２０】
つまり、この方法の実施にあたり、前記設定演算式として、空調対象ゾーンのゾーン内温度と外気温度との温度差や、空調対象ゾーンから排気を受け入れる排気チャンバのチャンバ内温度と外気温度との温度差をパラメータとする演算式を用いれば、その演算式を用いて演算した自然外気風量の演算値に、ゾーン内温度と外気温度との温度差の変化や、チャンバ内温度と外気温度との温度差の変化による風量変化分を効果的に反映させることができ、このことから、ゾーン内温度と外気温度との温度差や、チャンバ内温度と外気温度との温度差による空気の比重差を利用して空調対象ゾーンに対し自然通風的に外気供給する場合に特に好適な演算方法になる。
【００２１】
また、上記方法の実施にあたり、前記設定演算式として、屋外風の風向や、屋外風の風速、あるいは、屋外風の風速の二乗値をパラメータとする演算式を用いれば、その演算式を用いて演算した自然外気風量の演算値に、屋外風の状態変化による風量変化分を効果的に反映させることができ、このことから、屋外風による誘引や吹き込みを利用して空調対象ゾーンに対し自然通風的に外気供給する場合に特に好適な演算方法になる。
【００２２】
そしてまた、請求項２に係る発明の上記方法によれば、使用パラメータについての状態値を要因状態検出手段により検出して、その検出値を設定演算式に対し直接的に代入する演算形態を採るから、演算処理を簡略にすることができ、この演算処理を風量演算手段により機械的に行う場合には、その風量演算手段を簡素な処理構成のもので済ませることができる。
【００２３】
なお、請求項２に係る発明の実施において、設定演算式は、上記した温度差、風向、風速、風速の二乗値のうちの１つないし複数のいずれのものをパラメータとする演算式にしてもよく、また、上記した温度差、風向、風速、風速の二乗値のうちの１つないし複数のものと、その他の変化要因とをパラメータとする演算式にしてもよい。
【００２４】
〔３〕請求項３に係る発明は、請求項２に係る発明の実施に好適な実施形態を特定するものであり、その特徴は、
前記設定演算式として次式で示される演算式を用い、
【数１】
Ｑｆ＝ａ×Δｔｚｏ＋ｂ×｜ｓｉｎ（ｄｗ−θ）｜＋ｃ×ｖｗ２＋ｄ×ｖｗ＋Ｋ
但し、Ｑｆ：自然外気風量演算値
Δｔｚｏ：空調対象ゾーンのゾーン内温度の温度と外気温度との温度差
ｄｗ：屋外風の風向
θ：補正値
ｖｗ：屋外風の風速
Ｋ：定数
この演算式におけるΔｔｚｏ、ｄｗ，ｖｗ夫々の状態値を前記要因状態検出手段により検出して前記設定演算式に代入することで前記自然外気風量を演算する点にある。
【００２５】
つまり、この方法によれば、ゾーン内温度と外気温度との温度差Δｔｚｏ、屋外風の風向ｄｗ、屋外風の風速の二乗値ｖｗ２、屋外風の風速ｖｗの夫々をパラメータとする演算式を用いて自然外気風量Ｑｆを演算するから、その演算式を用いて演算した自然外気風量Ｑｆの演算値に、ゾーン内温度と外気温度との温度差の変化による風量変化分、及び、屋外風の状態変化による風量変化分の両方を効果的に反映させることができ、このことから、外気の温度変化や屋外風の状態変化にかかわらず自然外気風量を極めて精度良く演算することができて、ゾーン内温度と外気温度との温度差による空気の比重差、並びに、屋外風による誘引や吹き込みを利用した状態で空調対象ゾーンに対し自然通風的に外気供給する場合に特に好適な演算方法になる。
【００２６】
そしてまた、請求項３に係る発明の上記方法によれば、設定演算式として、上記パラメータΔｔｚｏ、ｄｗ、ｖｗ２、ｖｗ毎の項からなる簡素な多項式を用いるから、自然外気風量の演算処理を一層簡略にすることができ、また、その設定演算式の補正処理も簡略にすることができる。
【００２７】
なお、上記演算式における補正値θは、種々の条件に基づき設定する定数、あるいは、屋外風状態の検出情報などに応じて変更する変数のいずれであってもよい。
【００２８】
〔４〕請求項４に係る発明は、請求項１〜３のいずれか１項に記載した外気風量演算方法を使用する空調設備に係り、
前記要因状態検出手段の検出情報に基づき前記設定演算式にしたがって前記自然外気風量を演算する風量演算手段を設け、
この風量演算手段を、前記自然通風利用空調運転の実施下において前記風量検出手段により検出した前記自然外気風量の実測値と、その実測値を採取したときにおける前記要因状態検出手段の検出情報と、その実測値採取時における前記要因状態検出手段の検出情報に基づき前記設定演算式にしたがって演算した前記自然外気風量の演算値とに基づき、前記設定演算式を自動補正する構成にしてある点にある。
【００２９】
つまり、この構成によれば、請求項１に係る発明における風量予測処理（自然外気風量の演算処理）、及び、演算式補正処理（設定演算式の補正処理）の夫々を風量演算手段により自動的に行うから、請求項１〜３のいずれか１項に係る発明の演算方法を用いて空調設備の運転管理を行うにあたり、管理者の管理負担を大幅に軽減することができる。
【００３０】
また、演算式補正処理を自動的に行うから、その演算式補正処理を繰り返し実施することで自己学習的に自然外気風量の演算精度を高めて行くといったも容易に実現することができる。
【００３１】
【発明の実施の形態】
図１は外気冷房を可能にした空調設備の設備構成を示し、図中、Ｚはビル内におけるオフィスなどの人員収容のある空調対象ゾーンであり、この空調対象ゾーンＺは、建屋内部の内方側に位置するインテリアゾーン１ａと、ガラス窓２を備える外壁３寄りのペリメータゾーン１ｂとに区分される。
【００３２】
インテリアゾーン１ａ及びペリメータゾーン１ｂ夫々の床下空間は、各々複数の床吹出口４ａ，４ｂを通じて各ゾーン１ａ，１ｂに給気する床下給気チャンバ５ａ，５ｂにしてあり、インテリアゾーン１ａとペリメータゾーン１ｂとが互いに開放された空間であるのに対し、インテリアゾーン１ａに対する床下給気チャンバ５ａと、ペリメータゾーン１ｂに対する床下給気チャンバ５ｂとは、床下の隔壁６により仕切ってある。
【００３３】
一方、空調対象ゾーンＺの天井裏空間は、両ゾーン１ａ，１ｂに対する共通の天井裏排気チャンバ７にしてあり、インテリアゾーン１ａ及びペリメータゾーン１ｂ夫々の天井８ａ，８ｂには、天井裏排気チャンバ７への排気口９を形成した複数のシーリングファンユニット１０を取付けてある。また、ペリメータゾーン１ｂにおける窓部には、ロールブラインド１１を設けるとともに、窓部の空気を天井部から排出する窓部排気口１２を設けてある。
【００３４】
１３は内壁１４により空調対象ゾーンＺと仕切られた密閉状の空調機械室であり、この空調機械室１３には、インテリア側空調機１５ａ、ペリメータ側空調機１５ｂ、全熱交換器１６、並びに、空調制御盤１７を収容してあり、また、建屋の最上部（例えばビル屋上の塔屋など）には、空調対象ゾーンＺからの排出空気ＥＡを屋外に排出する排気塔１８を設け、建屋の外壁３における空調対象ゾーン下方箇所には、外気取入口１９（いわゆる外気取入ガラリ）を設けてある。
【００３５】
インテリア側空調機１５ａ及びペリメータ側空調機１５ｂには、各々の室外機（図示省略）に備えさせた圧縮機、室外側熱交換器、膨張弁とともに圧縮式ヒートポンプ（本例では所謂ガスヒートポンプＧＨＰ）を構成する室内側熱交換器２０ａ，２０ｂ、インバータ制御による送風量調整が可能な給気ファン２１ａ，２１ｂ、並びに、加湿器２２ａ，２２ｂを備えさせてあり、室内側熱交換器２０ａ，２０ｂを冷媒蒸発器又は冷媒凝縮器として選択的に機能させることで、給気ファン２１ａ，２１ｂにより吸気口から機内に取り入れて送気口から送出する空気を冷却又は加熱する。
【００３６】
一方、風路構成について、２３ａは天井裏排気チャンバ７とインテリア側空調機１５ａの吸気口とにわたるインテリア側の還気ダクト、２３ｂは天井裏排気チャンバ７とペリメータ側空調機１５ｂの吸気口とにわたるペリメータ側の還気ダクトであり、２４ａはインテリア側空調機１５ａの送気口とインテリア側の床下給気チャンバ５ａとにわたるインテリア側の給気ダクト、２４ｂはぺリメータ側空調機１５ｂの送気口とペリメータ側の床下給気チャンバ５ｂとにわたるペリメータ側の給気ダクトである。
【００３７】
また、２５ａは空調機械室１３の室内とインテリア側の床下給気チャンバ５ａとにわたるインテリア側の外気導通路、２５ｂは空調機械室１３の室内とペリメータ側の床下給気チャンバ５ｂとにわたるペリメータ側の外気導通路であり、これら外気導通路２５ａ，２５ｂには、それらを開閉するモータダンパＤ１，Ｄ２を介装してある。
【００３８】
なお、具体的には、本例の設備において上記外気導通路２５ａ，２５ｂは、インテリア側及びペリメータ側の床下給気チャンバ５ａ，５ｂに対し個別に連通する機械室床下空間部を用いて形成してある。
【００３９】
２６は外気取入口１９からの導入外気ＯＡを導く外気ダクトであり、この外気ダクト２６は、全熱交換器１６の外気側器内路１６ａを介してインテリア側の還気ダクト２３ａに接続した熱回収用の分岐外気ダクト２６ａと、インテリア側の還気ダクト２３ａに対し直接に接続した強制通風用の分岐外気ダクト２６ｂと、空調機械室１３の室内に開放させた自然通風用の分岐外気ダクト２６ｃとに分岐してある。
【００４０】
そして、インテリア側の還気ダクト２３ａに風量調整可能なモータダンパＤ３を介装するのに対し、そのモータダンパＤ３よりも下流側（空調機１５ａの側）で熱回収用の分岐外気ダクト２６ａ及び強制通風用の分岐外気ダクト２６ｂをインテリア側の還気ダクト２３ａに接続し、強制通風用の分岐外気ダクト２６ｂには風量調整可能なモータダンパＤ４を介装してある。また、ペリメータ側の還気ダクト２３ｂにはそれを開閉するモータダンパＤ５を介装し、自然通風用の分岐外気ダクト２６ｃには風量調整可能なモータダンパＤ６を介装してある。
【００４１】
２７は天井裏排気チャンバ７と排気塔８とにわたる外気冷房用の排気ダクト、２８は全熱交換器１６の排気側器内路１６ｂを介して天井裏排気チャンバ７と排気塔８とにわたらせた熱回収用の排気ダクトであり、外気冷房用の排気ダクト２７には、それを開閉するモータダンパＤ７を介装してある。また、２９はダクト介装型の簡易排気ファン３０により窓部排気口１２から排出した空気を導く局所排気ダクトであり、この局所排気ダクト２９は、その下流端を天井裏排気チャンバ７内において外気冷房用の排気ダクト２７及び熱回収用の排気ダクト２８夫々の開口部近傍に開口させてある。
【００４２】
全熱交換器１６は、外気側器内路１６ａの通過外気ＯＡを排気側器内路１６ｂの通過排出空気ＥＡ（すなわち、天井裏排気チャンバ７から導出して排気塔８へ送る排出空気）と熱交換要素を介し顕熱及び潜熱の両面で熱交換させて、冷房では各ゾーン１ａ，１ｂからの排出空気ＥＡが保有する冷熱分を回収し、暖房では各ゾーン１ａ，１ｂからの排出空気ＥＡが保有する温熱分を回収するものであり、外気側器内路１６ａ及び排気側器内路１６ｂの夫々に対する空気通過を補助する外気側及び排気側の器内ファン１６ｆａ，１６ｆｂを備えている。
【００４３】
なお、図示は省略したが、本例の設備では、複数台の全熱交換器１６を並列的に設置しある。
【００４４】
インテリアゾーン１ａ及びペリメータゾーン１ｂ夫々の天井８ａ，８ｂに配備するシーリングファンユニット１０は、図２及び図３に示す如く、下面側が開口する偏平箱状のケース１０ａに、そのケース内中央部に位置させて長翼プロペラ型のシーリングファン１０ｂ（天井ファン）をその回転軸芯がケース上壁に対し直交する姿勢で装備し、そして、天井裏排気チャンバ７への排気口９として、多孔板１０ｃを張設した環状開口をシーリングファン１０ｂの背面側に位置させてシーリングファン１０ｂと同芯状にケース上壁に形成し、また、ケース四辺部の鍔部の夫々に照明器具１０ｄを組み込んだものであり、ケース１０ａを天井８ａ，８ｂに埋め込む状態に設置することで、環状開口９により各ゾーン１ａ，１ｂから天井裏排気チャンバ７への排気路を形成する。
【００４５】
また、長翼プロペラ型のシーリングファン１０ｂには正逆転切り換え可能なもの（具体的には正逆転切り換え可能なファンモータに直結したシーリングファン）を用いてあり、シーリングファン１０ｂから各ゾーン１ａ，１ｂ内に向けて下向きに送風する正転運転では、その下向き送風により各ゾーン１ａ，１ｂ内を攪拌してゾーン内居者に気流感を与える本来のシーリングファンとして機能させ、一方、ファン１０ｂからケース１０ａ内に向けて上向きに送風する逆転運転では、その上向き送風により排気口９を通じての天井裏排気チャンバ７への空気排出を補助する排気補助ファンとして機能させる。
【００４６】
以上の構成により、本例の設備では次の（イ）〜（へ）の６つのモードの運転、すなわち、冷房運転、ハイブリッド強制外気冷房運転、強制外気冷房運転、ハイブリッド自然外気冷房運転、自然外気冷房運転、暖房運転を空調負荷状況に応じて選択的に実施する。
【００４７】
（イ）冷房運転（図４参照）
インテリア側及びペリメータ側夫々の外気導通路２５ａ，２５ｂにおけるモータダンパＤ１，Ｄ２、強制通風用の分岐外気ダクト２６ｂにおけるモータダンパＤ４、自然通風用の分岐外気ダクト２６ｃにおけるモータダンパＤ６、並びに、外気冷房用の排気ダクト２７におけるモータダンパＤ７を閉じた状態で、インテリア側空調機１５ａ及びペリメータ側空調機１５ｂの夫々について、給気ファン２１ａ，２１ｂを運転するとともに室内側熱交換器２０ａ，２０ｂを冷却機能させ、また、全熱交換器１６を運転する。
【００４８】
すなわち、この冷房運転では、同図４に示す如く、空調機１５ａ，１５ｂに装備の給気ファン２１ａ，２１ｂにより、インテリア側及びペリメータ側夫々の給気ダクト２４ａ，２４ｂ、床下給気チャンバ５ａ，５ｂ，床吹出口４ａ，４ｂ、並びに、シーリングファンユニット１０に形成の排気口９，天井裏排気チャンバ７、還気ダクト２３ａ，２３ｂを通じて、各空調機１５ａ，１５ｂと両ゾーン１ａ，１ｂとの間で空気循環させ、また、それに併行して、全熱交換器１６の器内ファン１６ａ，１６ｂにより、天井裏排気チャンバ７から熱回収用の排気ダクト２８、及び、排気塔１８を通じて屋外に空気排出するとともに、その排気風量に相当する風量の換気用外気ＯＡを外気取入口１９から熱回収用の分岐外気ダクト２６ａを通じてインテリア側空調機１５ａに導入する。
【００４９】
そして、この送風形態において、各空調機１５ａ，１５ｂから送出する空気ＳＡａ，ＳＡｂを各々の室内側熱交換器２０ａ，２０ｂにより冷却するとともに、全熱交換器１６での熱交換により、屋外へ排出する空気ＥＡの保有冷熱を回収してインテリア側空調機１５ａへの導入外気ＯＡを予冷する。
【００５０】
また、この冷房運転において空調制御盤１７は次のａ．〜ｅ．の各制御を実行する。
【００５１】
ａ．各空調機１５ａ，１５ｂが備える送気温度センサｓ１，ｓ２の検出温度ｔｓａ，ｔｓｂに基づき、各空調機１５ａ，１５ｂに対する室外機側圧縮機の出力をインバータ制御により調整（換言すれば、室内側熱交換器２０ａ，２０ｂでの空気冷却量を調整）して、各空調機１５ａ，１５ｂから送出する冷却空気ＳＡａ，ＳＡｂの温度ｔｓａ，ｔｓｂを設定送気温度ｔｓｓに調整する。
【００５２】
ｂ．インテリアゾーン１ａに配備したインテリア側ゾーン温湿度センサｓ３の検出温度ｔｚａに基づき、インテリア側空調機１５ａにおける給気ファン２１ａの送風量をインバータ制御により調整し、かつ、ペリメータゾーン１ｂに配備したペリメータ側ゾーン温度センサｓ４の検出温度ｔｚｂに基づき、ペリメータ側空調機１５ｂにおける給気ファン２１ｂの送風量をインバータ制御により調整して、各ゾーン１ａ，１ｂのゾーン内温度ｔｚａ，ｔｚｂを設定ゾーン温度ｔｚｓ（例えば２８℃）に調整する。
【００５３】
ｃ．熱回収用の排気ダクト２８に装備したＣＯ２濃度センサｓ５の検出濃度ｄに基づき、ＣＯ２濃度の上昇に対し運転台数を増加させる側に、かつ、ＣＯ２濃度の低下に対し運転台数を減少させる側に、全熱交換器１６の運転台数（換言すれば、器内ファン１６ｆａ，１６ｆｂの運転台数）を変更して、各ゾーン１ａ，１ｂの換気状態を良好に保つように、熱回収用の排気ダクト２８を通じ排気塔８から屋外に排出する排気風量、及び、外気取入口１９から熱回収用の分岐外気ダクト２６ａを通じて導入する換気用外気ＯＡの導入風量を調整する。
【００５４】
ｄ．インテリア側ゾーン温湿度センサｓ３の検出温度ｔｚａが設定発停温度ｔｚｏ（上記の設定ゾーン温度ｔｚｓよりも少し低い温度、例えば２６．５℃）以上のとき、両ゾーン１ａ，１ｂのシーリングファン１０ｂについて基本的に正転運転を実施し、これにより、気流感を促進して体感的に冷房効果を高める。
【００５５】
ｅ．ペリメータゾーン１ｂの天井８ｂに配備したペリメータ側放射温度センサｓ６の検出放射温度ｔｘｂが設定ゾーン温度ｔｚｓよりも高いとき、簡易排気ファン３０による窓部排気口１２からの排気を実施し、これにより、ガラス窓２及び外壁３からの放射の影響を緩和してペリメータゾーン１ｂに対する冷房効果を高める。
【００５６】
要するに、この冷房運転では基本的に、全熱交換器１６の運転により外気負荷を軽減しながら、各空調機１５ａ，１５ｂの冷却出力をもって各ゾーン１ａ，１ｂの冷房負荷に対応する。
【００５７】
（ロ）ハイブリッド強制外気冷房運転（図５参照）
インテリア側及びペリメータ側夫々の外気導通路２５ａ，２５ｂにおけるモータダンパＤ１，Ｄ２、自然通風用の分岐外気ダクト２６ｃにおけるモータダンパＤ６、並びに、インテリア側の還気ダクト２３ａにおけるモータダンパＤ３を閉じ、かつ、全熱交換器１６の運転を停止した状態で、インテリア側空調機１５ａ及びペリメータ側空調機１５ｂの夫々について、給気ファン２１ａ，２１ｂを運転するとともに室内側熱交換器２０ａ，２０ｂを冷却機能させ、また、両ゾーン１ａ，１ｂのシーリングファン１０ｂを逆転運転する。
【００５８】
すなわち、このハイブリッド強制外気冷房運転では、同図５に示す如く、排気塔１８での屋外風による誘引、温度差による空気の比重差、並びに、シーリングファン１０ｂの逆転運転より各ゾーン１ａ，１ｂからの暖気排出及び外気導入を補助する状態下で、インテリア側空調機１５ａの給気ファン２１ａにより、外気取入口１９から強制通風用の分岐外気ダクト２６ｂを通じ外気ＯＡを導入して、その導入外気ＯＡをインテリア側空調機１５ａにおける室内側熱交換器２０ａで冷却し、その冷却空気ＳＡａをインテリア側空調機１５ａからインテリア側の給気ダクト２４ａ、床下給気チャンバ５ａ、及び、床吹出口４ａを通じインテリアゾーン１ａに供給する。
【００５９】
また、それに併行して、ペリメータ側空調機１５ｂの給気ファン２１ｂによりペリメータ側空調機１５ｂとゾーン側との間で空気循環させながら、循環空気をペリメータ側空調機１５ｂにおける室内側熱交換器２０ｂで冷却し、その冷却空気ＳＡｂをペリメータ側空調機１５ｂからペリメータ側の給気ダクト２４ｂ、床下給気チャンバ５ｂ、及び、床吹出口４ｂを通じてペリメータゾーン１ｂに供給する。
【００６０】
そして、各ゾーン１ａ，１ｂからシーリングファンユニット１０の排気口９を通じて天井裏排気チャンバ７に排出される空気のうち、一部を還気としてペリメータ側の還気ダクト２３ｂを通じペリメータ側空調機１５ｂに戻すのに対し、他部（外気取入口１９からの外気導入風量に相当する風量の空気）を、天井裏排気チャンバ７から外気冷房用の排気ダクト２７、及び、排気塔１８を通じて屋外に排出する。
【００６１】
また、このハイブリッド強制外気冷房運転において空調制御盤１７は次のｆ．〜ｈ．の各制御を実行する。
【００６２】
ｆ．冷房運転と同様、各空調機１５ａ，１５ｂが備える送気温度センサｓ１，ｓ２の検出温度ｔｓａ，ｔｓｂに基づき、各空調機１５ａ，１５ｂに対する室外機側圧縮機の出力をインバータ制御により調整して、各空調機１５ａ，１５ｂから送出する冷却空気ＳＡａ，ＳＡｂの温度ｔｓａ，ｔｓｂを設定送気温度ｔｓｓに調整する。
【００６３】
ｇ．冷房運転と同様、インテリア側ゾーン温湿度センサｓ３の検出温度ｔｚａに基づき、インテリア側空調機１５ａにおける給気ファン２１ａの送風量をインバータ制御により調整し、かつ、ペリメータ側ゾーン温度センサｓ４の検出温度ｔｚｂに基づき、ペリメータ側空調機１５ｂにおける給気ファン２１ｂの送風量をインバータ制御により調整して、各ゾーン１ａ，１ｂのゾーン内温度ｔｚａ，ｔｚｂを設定ゾーン温度ｔｚｓに調整する。
【００６４】
ｈ．冷房運転と同様、ペリメータ側放射温度センサｓ６の検出放射温度ｔｘｂが設定ゾーン温度ｔｚｓよりも高いとき、簡易排気ファン３０による窓部排気口１２からの排気を実施する。
【００６５】
要するに、このハイブリッド強制外気冷房運転では、排気塔１８での屋外風による誘引、温度差による空気の比重差、並びに、シーリングファン１０ｂの逆転運転より各ゾーン１ａ，１ｂからの暖気排出及び外気導入を補助した状態でのインテリア側給気ファン２１ａによる外気ＯＡの強制導入と、各空調機１５ａ，１５ｂの補助的な冷却出力とをもって、各ゾーン１ａ，１ｂの冷房負荷に対応する。
【００６６】
（ハ）強制外気冷房運転（図６参照）
インテリア側及びペリメータ側夫々の外気導通路２５ａ，２５ｂにおけるモータダンパＤ１，Ｄ２、自然通風用の分岐外気ダクト２６ｃにおけるモータダンパＤ６、並びに、ペリメータ側の還気ダクト２３ｂにおけるモータダンパＤ５を閉じ、かつ、全熱交換器１６及びペリメータ側空調機１５ｂの運転を停止した状態で、インテリア側空調機１５ａについて、室内側熱交換器２０ａの機能停止下で給気ファン２１ａのみを定格風量運転する送風運転を実施し、また、両ゾーン１ａ，１ｂのシーリングファン１０ｂを逆転運転する。
【００６７】
すなわち、この強制外気冷房運転では、同図６に示す如く、排気塔１８での屋外風による誘引、温度差による空気の比重差、並びに、シーリングファン１０ｂの逆転運転より各ゾーン１ａ，１ｂからの暖気排出及び外気導入を補助する状態下で、インテリア側空調機１５ａの給気ファン２１ａにより、外気取入口１９から強制通風用の分岐外気ダクト２６ｂを通じ外気ＯＡを導入して、その導入外気ＯＡ（詳しくは、下記還気との混合空気）をインテリア側空調機１５ａからインテリア側の給気ダクト２４ａ、床下給気チャンバ５ａ、及び、床吹出口４ａを通じインテリアゾーン１ａに供給する。
【００６８】
そして、各ゾーン１ａ，１ｂからシーリングファンユニット１０の排気口９を通じて天井裏排気チャンバ７に排出される空気のうち、一部を還気としてインテリア側の還気ダクト２３ａを通じインテリア側空調機１５ａに戻すのに対し、他部（外気取入口１９からの外気導入風量に相当する風量の空気）を、天井裏排気チャンバ７から外気冷房用の排気ダクト２７、及び、排気塔１８を通じて屋外に排出する。
【００６９】
また、この強制外気冷房運転において空調制御盤１７は次のｉ．〜ｋ．の各制御を実行する。
【００７０】
ｉ．インテリア側ゾーン温湿度センサｓ３の検出温度ｔｚａに基づき、インテリア側還気ダクト２３ａにおけるモータダンパＤ３の開度と、強制通風用の分岐外気ダクト２６ｂにおけるモータダンパＤ４の開度とを背反的に調整（すなわち、外気ＯＡの導入風量を調整）して、インテリアゾーン１ａのゾーン内温度ｔｚａを設定ゾーン温度ｔｚｓに調整するとともに、それに随伴させて、ペリメータゾーン１ｂのゾーン内温度ｔｚｂを設定ゾーン温度ｔｚｓの近傍値にする。
【００７１】
ｊ．冷房運転及びハイブリッド強制外気冷房運転と同様、ペリメータ側放射温度センサｓ６の検出放射温度ｔｘｂが設定ゾーン温度ｔｚｓよりも高いとき、簡易排気ファン３０による窓部排気口１２からの排気を実施する。
【００７２】
ｋ．インテリア側ゾーン温湿度センサｓ３の検出湿度ｒｚａ（相対湿度）に基づき、インテリア側空調機１５ａにおける加湿器２２ａの加湿量を調整して、インテリアゾーン１ａのゾーン内湿度ｒｚａを設定ゾーン湿度ｒｚｓに調整するとともに、それに随伴させて、ペリメータゾーン１ｂのゾーン内湿度ｒｚｂを設定ゾーン湿度ｒｚｓの近傍値にする。
【００７３】
要するに、この強制外気冷房運転では、排気塔１８での屋外風による誘引、温度差による空気の比重差、並びに、シーリングファン１０ｂの逆転運転より各ゾーン１ａ，１ｂからの暖気排出及び外気導入を補助した状態でのインテリア側給気ファン２１ａによる外気ＯＡの強制導入のみにより、各ゾーン１ａ，１ｂの冷房負荷に対応する。
【００７４】
（ニ）ハイブリッド自然外気冷房運転（図７参照）
インテリア側の外気導通路２５ａにおけるモータダンパＤ１、強制通風用の分岐外気ダクト２６ｂにおけるモータダンパＤ４、並びに、ペリメータ側の還気ダクト２３ｂにおけるモータダンパＤ５を閉じ、かつ、全熱交換器１６及びペリメータ側空調機１５ｂの運転を停止した状態で、インテリア側空調機１５ａについて、給気ファン２１ａを運転するとともに室内側熱交換器２０ａを冷却機能させ、また、両ゾーン１ａ，１ｂのシーリングファン１０ｂを逆転運転する。
【００７５】
すなわち、このハイブリッド自然外気冷房運転では、同図７に示す如く、シーリングファン１０ｂの逆転運転よる排気補助下において、排気塔１８での屋外風による誘引、及び、温度差による空気の比重差より、各ゾーン１ａ，１ｂからの暖気排出及び外気導入を行う形態で、外気取入口１９から自然通風用の分岐外気ダクト２６ｃを通じ外気ＯＡを空調機械室１３に導入して、その導入外気ＯＡを空調機械室１３からペリメータ側の外気導通路２５ｂ、床下給気チャンバ５ｂ、及び、床吹出口４ｂを通じペリメータゾーン１ｂに供給する。
【００７６】
また、それに併行して、インテリア側空調機１５ａの給気ファン２１ａによりインテリア側空調機１５ａとゾーン側との間で空気循環させながら、循環空気をインテリア側空調機１５ａにおける室内側熱交換器２０ａで冷却し、その冷却空気ＳＡａをインテリア側空調機１５ａからインテリア側の給気ダクト２４ａ、床下給気チャンバ５ａ、及び、床吹出口４ａを通じてインテリアゾーン１ａに供給する。
【００７７】
そして、各ゾーン１ａ，１ｂからシーリングファンユニット１０の排気口９を通じて天井裏排気チャンバ７に排出される空気のうち、一部を還気としてインテリア側の還気ダクト２３ａを通じインテリア側空調機１５ａに戻すのに対し、他部（外気取入口１９からの外気導入風量に相当する風量の空気）を、天井裏排気チャンバ７から外気冷房用の排気ダクト２７、及び、排気塔１８を通じて屋外に排出する。
【００７８】
また、このハイブリッド自然外気冷房運転において空調制御盤１７は次のｌ．〜ｎ．の各制御を実行する。
【００７９】
ｌ．インテリア側空調機１５ａが備える送気温度センサｓ１の検出温度ｔｓａに基づき、インテリア側空調機１５ａに対する室外機側圧縮機の出力をインバータ制御により調整して、インテリア側空調機１５ａから送出する冷却空気ＳＡａの温度ｔｓａを設定送気温度ｔｓｓに調整する。
【００８０】
ｍ．インテリア側ゾーン温湿度センサｓ３の検出温度ｔｚａに基づき、インテリア側空調機１５ａにおける給気ファン２１ａの送風量をインバータ制御により調整して、インテリアゾーン１ａのゾーン内温度ｔｚａを設定ゾーン温度ｔｚｓに調整するとともに、それに随伴させて、ペリメータゾーン１ｂのゾーン内温度ｔｚｂを設定ゾーン温度ｔｚｓの近傍値にする。
【００８１】
ｎ．前記の３つの運転と同様、ペリメータ側放射温度センサｓ６の検出放射温度ｔｘｂが設定ゾーン温度ｔｚｓよりも高いとき、簡易排気ファン３０による窓部排気口１２からの排気を実施する。
【００８２】
要するに、このハイブリッド自然外気冷房運転では、シーリングファン１０ｂの逆転運転よる排気補助下において、排気塔１８での屋外風による誘引、及び、温度差による空気の比重差より、各ゾーン１ａ，１ｂからの暖気排出及び外気導入を自然通風的に行うことと、インテリア側空調機１５ａの補助的な冷却出力とをもって、各ゾーン１ａ，１ｂの冷房負荷に対応する。
【００８３】
（ホ）自然外気冷房運転（図８参照）
強制通風用の分岐外気ダクト２６ｂにおけるモータダンパＤ４、並びに、インテリア側及びペリメータ側の還気ダクト２３ａ，２３ｂにおけるモータダンパＤ３，Ｄ５を閉じ、かつ、全熱交換器１６の運転とインテリア側及びペリメータ側夫々の空調機１５ａ，１５ｂの運転を停止した状態で、両ゾーン１ａ，１ｂのシーリングファン１０ｂを逆転運転する。
【００８４】
すなわち、この自然外気冷房運転では、同図８に示す如く、シーリングファン１０ｂの逆転運転よる排気補助下において、排気塔１８での屋外風による誘引、及び、温度差による空気の比重差より、各ゾーン１ａ，１ｂからの暖気排出及び外気導入を行う形態で、外気取入口１９から自然通風用の分岐外気ダクト２６ｃを通じ外気ＯＡを空調機械室１３に導入して、その導入外気ＯＡを空調機械室１３からインテリア側及びペリメータ側夫々の外気導通路２５ａ，２５ｂ、床下給気チャンバ５ａ，５ｂ、及び、床吹出口４ａ，４ｂを通じ両ゾーン１ａ，１ｂに供給する。
【００８５】
そして、各ゾーン１ａ，１ｂからシーリングファンユニット１０の排気口９を通じて天井裏排気チャンバ７に排出される空気の全量を、天井裏排気チャンバ７から外気冷房用の排気ダクト２７、及び、排気塔１８を通じて屋外に排出する。
【００８６】
また、この自然外気冷房運転において空調制御盤１７は次のｏ．及びｐ．の各制御を実行する。
【００８７】
ｏ．インテリア側ゾーン温湿度センサｓ３の検出温度ｔｚａに基づき、自然通風用の分岐外気ダクト２６ｃにおけるモータダンパＤ６の開度を調整して、インテリアゾーン１ａのゾーン内温度ｔｚａを設定ゾーン温度ｔｚｓに調整するとともに、それに随伴させて、ペリメータゾーン１ｂのゾーン内温度ｔｚｂを設定ゾーン温度ｔｚｓの近傍値にする。
【００８８】
ｐ．前記の４つの運転と同様、ペリメータ側放射温度センサｓ６の検出放射温度ｔｘｂが設定ゾーン温度ｔｚｓよりも高いとき、簡易排気ファン３０による窓部排気口１２からの排気を実施する。
【００８９】
要するに、この自然外気冷房運転では、シーリングファン１０ｂの逆転運転よる排気補助下において、排気塔１８での屋外風による誘引、及び、温度差による空気の比重差より、各ゾーン１ａ，１ｂからの暖気排出及び外気導入を自然通風的に行うことのみをもって、各ゾーン１ａ，１ｂの冷房負荷に対応する。
【００９０】
（ヘ）暖房運転（図９参照）
インテリア側及びペリメータ側夫々の外気導通路２５ａ，２５ｂにおけるモータダンパＤ１，Ｄ２、強制通風用の分岐外気ダクト２６ｂにおけるモータダンパＤ４、自然通風用の分岐外気ダクト２６ｃにおけるモータダンパＤ６、並びに、外気冷房用の排気ダクト２７におけるモータダンパＤ７を閉じ、かつ、各ゾーン１ａ，１ｂのシーリングファン１０を停止した状態で、インテリア側空調機１５ａ及びペリメータ側空調機１５ｂの夫々について、給気ファン２１ａ，２１ｂを運転するとともに室内側熱交換器２０ａ，２０ｂを加熱機能させ、また、全熱交換器１６を運転する。
【００９１】
すなわち、この暖房運転では、同図９に示す如く、空調機１５ａ，１５ｂに装備の給気ファン２１ａ，２１ｂにより、インテリア側及びペリメータ側夫々の給気ダクト２４ａ，２４ｂ、床下給気チャンバ５ａ，５ｂ，床吹出口４ａ，４ｂ、並びに、シーリングファンユニット１０に形成の排気口９，天井裏排気チャンバ７、還気ダクト２３ａ，２３ｂを通じて、各空調機１５ａ，１５ｂと両ゾーン１ａ，１ｂとの間で空気循環させ、また、それに併行して、全熱交換器１６の器内ファン１６ａ，１６ｂにより、天井裏排気チャンバ７から熱回収用の排気ダクト２８、及び、排気塔１８を通じて屋外に空気排出するとともに、その排気風量に相当する風量の換気用外気ＯＡを外気取入口１９から熱回収用の分岐外気ダクト２６ａを通じてインテリア側空調機１５ａに導入する。
【００９２】
そして、この送風形態において、各空調機１５ａ，１５ｂから送出する空気ＳＡａ，ＳＡｂを各々の室内側熱交換器２０ａ，２０ｂにより加熱するとともに、全熱交換器１６での熱交換により、屋外へ排出する空気ＥＡの保有温熱を回収してインテリア側空調機１５ａへの導入外気ＯＡを予熱する。
【００９３】
また、この暖房運転において空調制御盤１７は次のｑ．〜ｕ．の各制御を実行する。
【００９４】
ｑ．各空調機１５ａ，１５ｂが備える送気温度センサｓ１，ｓ２の検出温度ｔｓａ，ｔｓｂに基づき、各空調器１５ａ，１５ｂに対する室外機側圧縮機の出力をインバータ制御により調整（換言すれば、室内側熱交換器２０ａ，２０ｂでの空気加熱量を調整）して、各空調機１５ａ，１５ｂから送出する加熱空気ＳＡａ，ＳＡｂの温度ｔｓａ，ｔｓｂを暖房用の設定送気温度ｔｓｓに調整する。
【００９５】
ｒ．インテリア側ゾーン温湿度センサｓ３の検出温度ｔｚａに基づき、インテリア側空調機１５ａにおける給気ファン２１ａの送風量をインバータ制御により調整し、かつ、ペリメータ側ゾーン温度センサｓ４の検出温度ｔｚｂに基づき、ペリメータ側空調機１５ｂにおける給気ファン２１ｂの送風量をインバータ制御により調整して、各ゾーン１ａ，１ｂのゾーン内温度ｔｚａ，ｔｚｂを暖房用の設定ゾーン温度ｔｚｓ（例えば２０℃）に調整する
【００９６】
ｓ．熱回収用の排気ダクト２８に装備したＣＯ２濃度センサｓ５の検出濃度ｄに基づき、ＣＯ２濃度の上昇に対し運転台数を増加させる側に、かつ、ＣＯ２濃度の低下に対し運転台数を減少させる側に、全熱交換器１６の運転台数（換言すれば、器内ファン１６ｆａ，１６ｆｂの運転台数）を変更して、各ゾーン１ａ，１ｂの換気状態を良好に保つように、熱回収用の排気ダクト２８を通じ排気塔８から屋外に排出する排気風量、及び、外気取入口１９から熱回収用の分岐外気ダクト２６ａを通じて導入する換気用外気ＯＡの導入風量を調整する。
【００９７】
ｔ．ペリメータゾーン１ｂの天井８ｂに配備したペリメータ側放射温度センサｓ６の検出放射温度ｔｘｂが暖房用の設定ゾーン温度ｔｚｓよりも低いとき、簡易排気ファン３０による窓部排気口１２からの排気を実施し、これにより、ガラス窓２及び外壁３からの放射の影響を緩和してペリメータゾーン１ｂに対する暖房効果を高める。
【００９８】
ｕ．インテリア側ゾーン温湿度センサｓ３の検出湿度ｒｚａに基づき、インテリア側及びペリメータ側夫々の空調機１５ａ，１５ｂにおける加湿器２２ａ，２２ｂの加湿量を調整して、インテリアゾーン１ａのゾーン内湿度ｒｚａを設定ゾーン湿度ｒｚｓに調整するとともに、それに随伴させて、ペリメータゾーン１ｂのゾーン内湿度ｒｚｂを設定ゾーン湿度ｒｚｓの近傍値にする。
【００９９】
要するに、この暖房運転では基本的に、全熱交換器１６の運転により外気負荷を軽減しながら、各空調機１５ａ，１５ｂの加熱出力をもって各ゾーン１ａ，１ｂの暖房負荷に対応する。
【０１００】
図１０は中央監視システム３１により統括する建屋全体についてのオンライン管理系統を示し、この管理系統には、状況に応じ、空調制御盤１７と連係して上記６つのモードの運転の中から空調効果面及び省エネ面で最適な運転を自動的に選択するモード選択制御、及び、設定ゾーン温度ｔｚｓを同じく空調効果面及び省エネ面で最適な温度に変更するゾーン温度制御を実行する設備管理システム３２（いわゆるＢＥＭＳ：環境・エネルギ管理システム）を装備してある。
【０１０１】
そして、これらモード選択制御及びゾーン温度制御に用いるセンサとして、上記の各センサｓ１〜ｓ６の他に、外気ＯＡの温湿度ｔｏ，ｒｏを検出する外気温湿度センサｓ７、屋外風の風向ｄｗを検出する外部風向センサｓ８、屋外風の風速ｖｗを検出する外部風速センサｓ９、並びに、降雨量ｑｒを検出する降雨量センサｓ１０を屋外の適当箇所（本例設備では排気塔１８の近傍箇所）に配備してある。
【０１０２】
また、建屋内には、インテリアゾーン１ａの天井部において放射温度ｔｘａを検出するインテリア側の放射温度センサｓ１１、両ゾーン１ａ，１ｂの境界近くにおける天井部においてゾーン内気流の風速ｖｚを検出する内部風速センサｓ１２、インテリア側の床下給気チャンバ５ａにおいてチャンバ内の温湿度ｔｕａ，ｒｕａを検出するインテリア側の床下温湿度センサｓ１３、ぺリメータ側の床下給気チャンバ５ｂにおいてチャンバ内の温湿度ｔｕｂ，ｒｕｂを検出するペリメータ側の床下温湿度センサｓ１４、天井裏排気チャンバ７においてチャンバ内の温湿度ｔｅ，ｒｅを検出する天井裏温湿度センサｓ１５、局所排気ダクト２９における通過空気の温度ｔｅｅを検出する局所排気温度センサｓ１６，並びに、外気冷房用の排気ダクト２７における通過風量Ｑｅを検出する排気風量センサｓ１７を配備してあり、これら屋内外のセンサの検出情報に基づき、設備管理システム３２は次の（Ａ）〜（Ｃ）の処理を実行する。
【０１０３】
（Ａ）上記モード選択制御における１つの処理として、第１インターバル時間Ｔ１（本例設備では３０分）ごとに次の一連の処理を行う（図１１参照）。
【０１０４】
現状の運転で処理している冷房負荷Ｇ（以下、実績処理負荷と称す）を演算するとともに、さらに次の第１インターバル時間Ｔ１を経過した時点での処理可能な冷房負荷Ｇ′（以下、予測処理可能負荷と称す）を前記（ロ）〜（ホ）の運転の夫々について演算する。
【０１０５】
そして、実績処理負荷Ｇと前記（ロ）〜（ホ）の運転夫々についての予測処理可能負荷Ｇ′とを比較することで、次の第１インターバル時間Ｔ１を経過した時点において現状の実績処理負荷Ｇを処理し得る運転（すなわち、Ｇ′≧Ｇとなる運転）を前記（ロ）〜（ホ）の運転の中から選択する。
【０１０６】
また、これら選択した運転の夫々について、設定データに基づき運転実施時の消費エネルギを演算し、この演算結果に基づき、上記選択した運転のうち消費エネルギが最も小さい運転を最終的に選んで、その最終選択の運転が前記（ロ）のハイブリッド強制外気冷房運転又は前記（ハ）の強制外気冷房運転であれば、空調制御盤１７に対し強制系運転の選択を指定し、一方、その最終選択の運転が前記（ニ）のハイブリッド自然外気冷房運転又は前記（ホ）の自然外気冷房運転であれば、空調制御盤１７に対し自然系運転の選択を指定する。
【０１０７】
実績処理負荷Ｇの演算、及び、予測処理可能負荷Ｇ′の演算は夫々、下記式により行う。
【０１０８】
〈冷房運転の実施時における実績処理負荷〉
【数２】
Ｇ＝Ｇａ＋Ｇｂ
Ｇａ＝ｋ×Ｑａ×（ｈｅ−ｈｕａ）
Ｇｂ＝ｋ×Ｑｂ×（ｈｅ−ｈｕｂ）−Ｇｃ
Ｇｃ＝ｋ×Ｑｅｅ×（ｈｅｅ−ｈｅ）
【０１０９】
〈ハイブリッド強制外気冷房運転の実施時の実績処理負荷〉
【数３】
Ｇ＝Ｇａ＋Ｇｂ
Ｇａ＝ｋ×Ｑａ×（ｈｅ−ｈｕａ）
Ｇｂ＝ｋ×Ｑｂ×（ｈｅ−ｈｕｂ）−Ｇｃ
Ｇｃ＝ｋ×Ｑｅｅ×（ｈｅｅ−ｈｅ）
【０１１０】
〈強制外気冷房運転の実施時における実績処理負荷〉
【数４】
Ｇ＝ｋ×Ｑａ×（ｈｅ−ｈｕａ）−Ｇｃ
Ｇｃ＝ｋ×Ｑｅｅ×（ｈｅｅ−ｈｅ）
【０１１１】
〈ハイブリッド自然外気冷房運転の実施時における実績処理負荷〉
【数５】
Ｇ＝ｋ×Ｑｅ×（ｈｅ−ｈｏ）＋ｋ×Ｑａ×（ｈｅ−ｈｕａ）−Ｇｃ
Ｇｃ＝ｋ×Ｑｅｅ×（ｈｅｅ−ｈｅ）
【０１１２】
〈自然外気冷房運転の実施時における実績処理負荷〉
【数６】
Ｇ＝ｋ×Ｑｅ×（ｈｅ−ｈｏ）−Ｇｃ
Ｇｃ＝ｋ×Ｑｅｅ×（ｈｅｅ−ｈｅ）
【０１１３】
なお、実績処理負荷Ｇの演算に用いる上記の各式において、
Ｇａ：インテリア側の実績処理負荷
Ｇｂ：ペリメータ側の実績処理負荷
Ｇｃ：窓部排気口１２からの排気による実績処理負荷（簡易排気ファン３０の停止時はＧｃ＝０）
Ｑａ：インテリア側空調機１５ａの送風量（給気ファン２１ａのインバータ制御上で監視）
Ｑｂ：ペリメータ側空調機１５ｂの送風量（給気ファン２１ｂのインバータ制御上で監視）
Ｑｅ：排気風量センサｓ１７による検出排気風量
Ｑｅｅ：簡易排気ファン３０の定格送風量
ｈｅ：天井裏排気チャンバ７内のエンタルピ（天井裏温湿度センサｓ１５の検出温湿度ｔｅ，ｒｅから演算）
ｈｕａ：インテリア側床下給気チャンバ５ａ内のエンタルピ（インテリア側床下温湿度センサｓ１３の検出温湿度ｔｕａ，ｒｕａから演算）
ｈｕｂ：ペリメータ側床下給気チャンバ５ｂ内のエンタルピ（ペリメータ側床下温湿度センサｓ１４の検出温湿度ｔｕｂ，ｒｕｂから演算）
ｈｅｅ：局所排気ダクト２９における通過空気のエンタルピ（局所排気温度センサｓ１６の検出温度ｔｅｅ、及び、インテリア側ゾーン温湿度センサｓ３の検出湿度ｒｚａから演算）
ｈｏ：外気ＯＡのエンタルピ（外気温湿度センサｓ７の検出温湿度ｔｏ，ｒｏから演算）
ｋ：係数
【０１１４】
〈ハイブリッド強制外気冷房運転についての予測処理可能負荷〉
【数７】
Ｇ′＝ｋ×（Ｑａ′＋Ｑｂ′）×（ｈｅ′―ｈｓ′）
【０１１５】
〈強制外気冷房運転についての予測処理可能負荷〉
【数８】
Ｇ′＝ｋ×Ｑａ′×（ｈｅ′―ｈｏ′）
【０１１６】
〈ハイブリッド自然外気冷房運転についての予測処理可能負荷〉
【数９】
Ｇ′＝ｋ×Ｑｆ×（ｈｅ′―ｈｏ′）＋ｋ×Ｑａ′×（ｈｅ′―ｈｓ′）
【０１１７】
〈自然外気冷房運転についての予測処理可能負荷〉
【数１０】
Ｇ′＝ｋ×Ｑｆ×（ｈｅ′―ｈｏ′）
【０１１８】
なお、予測処理可能負荷Ｇ′の演算に用いる上記の各式において、
Ｑａ′：インテリア側空調機１５ａの定格送風量
Ｑｂ′：ペリメータ側空調機１５ｂの定格送風量
Ｑｆ：自然外気冷房風量演算値
ｈｅ′：天井裏排気チャンバ７内の予測エンタルピ（天井裏温湿度センサｓ１５の検出温湿度ｔｅ，ｒｅからＡＲＩＭＡモデルなどの予測モデルを用いて、次の第１インターバル時間Ｔ１を経過した時点における天井裏排気チャンバ７内の温湿度ｔｅ′，ｒｅ′を予測し、その予測温湿度ｔｅ′，ｒｅ′から演算）
ｈｓ′：空調機１５ａ，１５ｂから送出する冷却空気ＳＡａ，ＳＡｂの定格エンタルピ）
ｈｏ′：外気ＯＡの予測エンタルピ（外気温湿度センサｓ７の検出温湿度ｔｏ，ｒｏからＡＲＩＭＡモデルなどの予測モデルを用いて、次の第１インターバル時間Ｔ１を経過した時点における外気ＯＡの温湿度ｔｏ′，ｒｏ′を予測し、その予測温湿度ｔｏ′，ｒｏ′から演算）
ｋ：係数
【０１１９】
そしてまた、上記の自然外気風量演算値Ｑｆは次式により演算する。
【数１１】
Ｑｆ＝ａ×Δｔｚｏ＋ｂ×｜ｓｉｎ（ｄｗ−θ）｜＋ｃ×ｖｗ２＋ｄ×ｖｗ＋ｅ×ｋ１＋ｆ×ｋ２＋ｇ
【０１２０】
なお、この演算式において、
Δｔｚｏ：平均内外温度差（インテリア側ゾーン温湿度センサｓ３の検出温度ｔｚａについての設定サンプリング時間Ｔ３における平均値と、外気温湿度センサｓ７の検出温度ｔｏについての設定サンプリング時間Ｔ３における平均値との差）
ｄｗ：外部風向センサｓ８による検出風向（基準方向に対する角度）
θ：補正値（角度）
ｖｗ：外部風速センサｓ９による検出風速
ｋ１：定数（シーリングファン１０ｂの逆転運転時にｋ１＝１、その他はｋ１＝０）
ｋ２：定数（ハイブリッド自然外気冷房運転時はｋ２＝１、自然外気冷房運転時はｋ２＝０）
ａ〜ｆ：係数
【０１２１】
（Ｂ）第２インターバル時間Ｔ２（本例設備では１０分）ごとに、快適指標の演算処理として、下記式に示す如く温度ｔ、湿度ｒ、放射温度ｔｘ、気流速度ｖ、代謝量ＡＬ、着衣量ＣＬをパラメータとするＰＭＶ値（空気調和・衛生工学便覧第１３版１基礎篇第４３９頁〜第４４３頁参照）を演算する。
【数１２】
ＰＭＶ値＝ｆ（ｔ，ｒ，ｔｘ，ｖ，ＡＬ，ＣＬ）
【０１２２】
具体的には、このＰＭＶ値の演算において上記の各パラメータ項に次の値を代入することで、空調対象ゾーンＺのＰＭＶ値を算出する。
【０１２３】
温度ｔ：インテリア側ゾーン温湿度センサｓ３の検出温度ｔｚａについての設定サンプリング時間Ｔ４における平均値
湿度ｒ：インテリア側ゾーン温湿度センサｓ３の検出湿度ｒｚａについての設定サンプリング時間Ｔ４における平均値
放射温度ｔｘ：インテリア側放射温度センサｓ１１の検出放射温度ｔｘａについての設定サンプリング時間Ｔ４における平均値
気流速度ｖ：内部風速センサｓ１２の検出風速ｖｚについての設定サンプリング時間Ｔ４における平均値
代謝量ＡＬ：設備管理システム３２のデータベース３２ａにおける月別データテーブルＤＴから読み出す該当月の代謝量データ値ＡＬｄ
着衣量ＣＬ：設備管理システム３２のデータベース３２ａにおける月別データテーブルＤＴから読み出す該当月の着衣量データ値ＣＬｄ
【０１２４】
（Ｃ）前記のゾーン温度制御として、第１インターバル時間Ｔ１ごとに次の一連の処理を行う（図１２参照）。
【０１２５】
現状の実施運転が前回の第１インターバル時間Ｔ１の経過時点における実施運転と同じか否かを判定し（♯１００）、同じ運転である場合には、（Ｂ）で演算した現状のＰＭＶ値が次のｐ１〜ｐ３のうちのいずれの状態にあるかを判定する（♯１０１）。
【０１２６】
【数１３】
ｐ１：−０．５＜ＰＭＶ値＜０．５
ｐ２：−０．７≦ＰＭＶ値≦−０．５あるいは０．５≦ＰＭＶ値≦０．７
ｐ３：ＰＭＶ値＜−０．７あるいは０．７＜ＰＭＶ値
【０１２７】
そして、ｐ１の場合は設定変更フラグＦが１か０を判定し（♯１０２）、Ｆ＝１の場合には、現状の設定ゾーン温度ｔｚｓを０．５℃だけ戻した場合（すなわち、０．５℃だけ空調能力の低減側に変更した場合）についてのＰＭＶ値を試算する（♯１０３）。
【０１２８】
なお、この試算は、（Ｂ）でのＰＭＶ値演算において、現状から０．５℃だけ戻した設定ゾーン温度ｔｚｓを温度ｔの項に代入することで行う。
【０１２９】
試算したＰＭＶ値が上記ｐ１の状態にある場合には、ゾーン温度変更処理として、現状から０．５℃だけ戻した設定ゾーン温度ｔｚｓを空調制御盤１７に指定し（♯１０４〜♯１０５）、それに続き、その指定した設定ゾーン温度ｔｚｓが前回のＦ＝０の状態時における設定ゾーン温度ｔｚｓよりも空調能力の増強側にあるか否かを判定して（♯１０６）、増強側に無い場合には設定変更フラグＦを１から０にリセットした上でリターンし、次の第１インターバル時間Ｔ１の経過を待つ（♯１０７）。
【０１３０】
♯１０２での判定でＦ＝０の場合、♯１０４での判定で試算ＰＭＶ値がｐ１以外の状態にある場合、並びに、♯１０６での判定で指定の設定ゾーン温度ｔｚｓが前回のＦ＝０の状態時における設定ゾーン温度ｔｚｓよりも空調能力の増強側にある場合には、そのままリターンして次の第１インターバル時間Ｔ１の経過を待つ。
【０１３１】
また、♯１００での判定で現状の実施運転が前回の第１インターバル時間Ｔ１の経過時点における実施運転と異なる場合には、設定変更フラグＦを１から０にリセットするとともに（♯１０８）、現状の実施運転、及び、現状の設定ゾーン温度ｔｚｓを記録した上でリターンして、次の第１インターバル時間Ｔ１の経過を待つ（♯１０９）。
【０１３２】
♯１０１での判定において、（Ｂ）で演算した現状のＰＭＶ値がｐ３の状態にあった場合には、（Ｂ）でのＰＭＶ値演算においてＰＭＶ値がｐ１の状態になるような温度ｔを逆算する（♯１１０）。
【０１３３】
そして、逆算した温度ｔと現状の設定ゾーン温度ｔｚｓとの温度差Δｔが３℃以内の場合には、ゾーン温度変更処理として、逆算した温度ｔをそのまま新たな設定ゾーン温度ｔｚｓとして空調制御盤１７に指定し（♯１１１〜♯１１２）、また、その温度差Δｔが３℃よりも大きい場合には、ゾーン温度変更処理として、現状から３℃だけ空調能力の増強側に変更した設定ゾーン温度ｔｚｓを空調制御盤１７に指定し（♯１１３）、その後、設定変更フラグＦを１から０にリセットした上でリターンして、次の第１インターバル時間Ｔ１の経過を待つ（♯１１４）。
【０１３４】
また、♯１０１での判定において、（Ｂ）で演算した現状のＰＭＶ値がｐ２の状態にあった場合には、そのままリターンして次の第１インターバル時間Ｔ１の経過を待つ。
【０１３５】
一方、空調制御盤１７は、設備管理システム３２による上記（Ａ）〜（Ｃ）の処理と連係した状態で、モード選択制御、及び、ゾーン温度制御を全体として次の如く実行する（図１３〜図１７参照）。
【０１３６】
図１３に示す如く、外気温湿度センサｓ７の検出温度ｔｏが１５℃以下の場合で、インテリア側ゾーン温湿度センサｓ３の検出温度ｔｚａが２６℃よりも低く、かつ、現状の実施運転が暖房運転の場合には、引き続き暖房運転を選択実施する（♯１〜♯５）。
【０１３７】
外気温湿度センサｓ７の検出温度ｔｏが１５℃以下の場合で、インテリア側ゾーン温温湿度センサｓ３の検出温度ｔｚａが２６℃以上であるか、若しくは、現状の実施運転が暖房運転以外の場合には、第１選択処理により、自然外気冷房運転、強制外気冷房運転、冷房運転のうちのいずれかを選択し（♯６）、その選択に続き、インテリア側ゾーン温湿度センサｓ３の検出温度ｔｚａが２２℃以上か否かを判定して、２２℃以上の場合には、第１選択処理で選択した運転を実施し、２２℃未満の場合には、暖房運転を選択実施する（♯７）。
【０１３８】
また、外気温湿度センサｓ７の検出温度ｔｏが１５℃よりも高く、かつ、２０℃以下の場合で、現状の実施運転が暖房運転であり、かつ、インテリア側ゾーン温湿度センサｓ３の検出温度ｔｚａが２６℃よりも低い場合、若しくは、現状の実施運転が暖房運転以外の運転であり、かつ、インテリア側ゾーン温湿度センサｓ３の検出温度ｔｚａが２２℃以下の場合には、暖房運転を選択実施する（♯８〜♯１１）。
【０１３９】
外気温湿度センサｓ７の検出温度ｔｏが１５℃よりも高く、かつ、２０℃以下の場合で、現状の実施運転が暖房運転であり、かつ、インテリア側ゾーン温湿度センサｓ３の検出温度ｔｚａが２６℃以上の場合、若しくは、現状の実施運転が暖房運転以外の運転であり、かつ、インテリア側ゾーン温湿度センサｓ３の検出温度ｔｚａが２２℃よりも高い場合には、第２選択処理により、自然外気冷房運転、ハイブリッド自然外気冷房運転、強制外気冷房運転、ハイブリッド強制外気冷房運転、冷房運転のうちのいずれかを選択し（♯１２）、その選択に続き、インテリア側ゾーン温湿度センサｓ３の検出温度ｔｚａが２２℃以上か否かを判定して、２２℃以上の場合には、第２選択処理で選択した運転を実施し、２２℃未満の場合には、暖房運転を選択実施する（♯１３）。
【０１４０】
そしてまた、外気温湿度センサｓ７の検出温度ｔｏが２０℃よりも高い場合には、第３選択処理により、自然外気冷房運転、ハイブリッド自然外気冷房運転、強制外気冷房運転、ハイブリッド強制外気冷房運転、冷房運転のうちのいずれかを選択実施する（♯１４）。
【０１４１】
上記の第１選択処理（♯６）では、図１４に示す如く、外気冷房条件を満たしているか否かを判定し（♯１５）、外気冷房条件を満たしている場合には、設備管理システム３２による前記（Ａ）の処理での指定を参照する（♯１６）。そして、その指定が自然系運転である場合は自然外気冷房運転を選択し（♯１７）、その指定が強制系運転である場合は強制外気冷房運転を選択する（♯１８）。また、外気冷房条件を満たしていない場合には、冷房運転を選択する（♯１９）。
【０１４２】
なお、外気冷房条件を満たしているか否かの判定は、外部風速センサｓ９の検出風速ｖｗ、及び、降雨量センサｓ１０の検出降雨量ｑｒに基づいて実行し、屋外風の風速ｖｗが所定時間にわたって上限風速より大きい場合、若しくは、一時間当りの降雨量ｑｒが上限降雨量よりも大きい場合には、外気冷房条件を満たしていないと判定する。
【０１４３】
上記の第２選択処理（♯１２）では、図１５に示す如く、外気冷房条件を満たしているか否かを判定し（♯２０）、外気冷房条件を満たしていない場合は冷房運転を選択し（♯３２）、満たしている場合は、設備管理システム３２による前記（Ａ）の処理での指定を参照する（♯２１）。
【０１４４】
そして、その指定が自然系運転である場合は、インテリア側ゾーン温湿度センサｓ３の検出温度ｔｚａが、外気温湿度センサｓ７の検出温度ｔｏに５℃を加えた温度又は２８℃よりも低いか否かを判定し（♯２２）、低くない場合はハイブリッド自然外気冷房運転を選択する（♯２６）。また、インテリア側ゾーン温湿度センサｓ３の検出温度ｔｚａが、外気温湿度センサｓ７の検出温度ｔｏに５℃を加えた温度又は２８℃よりも低い場合は、現状の実施運転がハイブリッド自然外気冷房運転か否かを判定し（♯２３）、ハイブリッド自然外気冷房運転以外の運転の場合、若しくは、ハイブリッド自然外気冷房運転の場合でインテリア側ゾーン温湿度センサｓ３の検出温度ｔｚａが２０℃以下の場合は自然外気冷房運転を選択し（♯２５）、ハイブリッド自然外気冷房運転の場合でインテリア側ゾーン温湿度センサｓ３の検出温度ｔｚａが２０℃よりも高い場合はハイブリッド自然外気冷房運転を選択する（♯２６）。
【０１４５】
一方、上記指定が強制系運転である場合は、インテリア側ゾーン温湿度センサｓ３の検出温度ｔｚａが、外気温湿度センサｓ７の検出温度ｔｏに５℃を加えた温度又は２８℃よりも低いか否かを判定し（♯２７）、低くない場合はハイブリッド強制外気冷房運転を選択する（♯３１）。また、インテリア側ゾーン温湿度センサｓ３の検出温度ｔｚａが、外気温湿度センサｓ７の検出温度ｔｏに５℃を加えた温度又は２８℃よりも低い場合は、現状の実施運転がハイブリッド強制外気冷房運転か否かを判定し（♯２８）、ハイブリッド強制外気冷房運転以外の運転の場合、若しくは、ハイブリッド強制外気冷房運転の場合でインテリア側ゾーン温湿度センサｓ３の検出温度ｔｚａが２０℃以下の場合は強制外気冷房運転を選択し（♯３０）、ハイブリッド強制外気冷房運転の場合でインテリア側ゾーン温湿度センサｓ３の検出温度ｔｚａが２０℃よりも高い場合はハイブリッド強制外気冷房運転を選択する（♯３１）。
【０１４６】
上記の第３選択処理（♯１４）では、図１６に示す如く、外気温湿度センサｓ７の検出温度ｔｏが３３℃以下か否かの判定（♯３３）、インテリア側ゾーン温湿度センサｓ３の検出温湿度ｔｚａ，ｒａｚに基づき演算したゾーン内のエンタルピｈｚが外気温湿度センサｓ７の検出温湿度ｔｏ，ｒｏに基づき演算した外気ＯＡのエンタルピｈｏよりも大きいか否かの判定（♯３４）、並びに、外気冷房条件を満たしているか否かの判定（♯３５）を行い、いずれかで否の判定があれば冷房運転を選択する（♯４９）。
【０１４７】
また、否の判定がない場合は、設備管理システム３２による前記（Ａ）の処理での指定を参照し（♯３６）、その指定が自然系運転の場合は、インテリア側ゾーン温湿度センサｓ３の検出温度ｔｚａが外気温湿度センサｓ７の検出温度ｔｏに５℃を加えた温度又は２８℃よりも低いか否かを判定し（♯３７）、低い場合で、現状の実施運転がハイブリッド自然外気冷房運転以外の場合、もしくは、現状の実施運転がハイブリッド自然外気冷房運転でインテリア側ゾーン温湿度センサｓ３の検出温度ｔｚａが２０℃以下の場合は自然外気冷房運転を選択し（♯３８〜♯４０）、現状の実施運転がハイブリッド自然外気冷房運転でインテリア側ゾーン温湿度センサｓ３の検出温度ｔｚａが２０℃よりも高い場合はハイブリッド自然外気冷房運転を選択する（♯４３）。
【０１４８】
そしてまた、インテリア側ゾーン温湿度センサｓ３の検出温度ｔｚａが外気温湿度センサｓ７の検出温度ｔｏに５℃を加えた温度又は２８℃よりも低くない場合は、インテリア側ゾーン温湿度センサｓ３の検出温度ｔｚａが２８℃以下か否かの判定（♯４１）、及び、現状の実施運転がハイブリッド強制外気冷房運転か否かの判定を行い、否の判定がない場合はハイブリッド自然外気冷房運転を選択し（♯４３）、いずれかで否の判定があれば後述の♯４６の判定に移行する。
【０１４９】
一方、上記指定が強制運転系の場合は、インテリア側ゾーン温湿度センサｓ３の検出温度ｔｚａが外気温湿度センサｓ７の検出温度ｔｏに５℃を加えた温度又は２８℃よりも低いか否かを判定し（♯４４）、低くない場合はハイブリッド強制外気冷房運転を選択する（♯４８）。
【０１５０】
また、インテリア側ゾーン温湿度センサｓ３の検出温度ｔｚａが外気温湿度センサｓ７の検出温度ｔｏに５℃を加えた温度又は２８℃よりも低い場合で、現状の実施運転がハイブリッド強制外気冷房運転以外の場合、もしくは、現状の実施運転がハイブリッド強制外気冷房運転でインテリア側ゾーン温湿度センサｓ３の検出温度ｔｚａが２０℃以下の場合、またもしくは、♯４１又は♯４２からの移行があってインテリア側ゾーン温湿度センサｓ３の検出温度ｔｚａが２０℃以下の場合は強制外気冷房運転を選択し（♯４５〜♯４７）、現状の実施運転がハイブリッド強制外気冷房運転でインテリア側ゾーン温湿度センサｓ３の検出温度ｔｚａが２０℃よりも高い場合はハイブリッド強制外気冷房運転を選択する（♯４８）。
【０１５１】
以上の一連の処理をもって、空調効果面及び省エネ面で最適な運転を自動的に選択するモード選択制御を完了し、このモード選択制御に続き、図１７に示す如く、設備管理システム３２による前記（Ｂ）の処理を実行して、インテリア側ゾーン温湿度センサｓ３の検出温湿度ｔｚａ，ｒｚａ、インテリア側放射温度センサｓ１１の検出放射温度ｔｘａ、内部風速センサｓ１２の検出風速ｖｚ、並びに、データベース３２ａの月別データテーブルＤＴから読み出す代謝量データ値ＡＬｄ及び着衣量データ値ＣＬｄに基づき、空調対象ゾーンＺにおけるＰＭＶ値を演算する（♯５０）。
【０１５２】
そして、これに続き、シーリングファン１０ｂの運転制御、及び、簡易排気ファン３０の運転制御として、上記のモード選択制御で選択した運転が暖房運転か否かを判定し（♯５１）、暖房運転の場合はシーリングファン１０ｂを停止する（♯５６）。また、ペリメータ側放射温度センサｓ６の検出放射温度ｔｘｂが現状の設定ゾーン温度ｔｚｓ以下か否かを判定し（♯５９）、現状の設定ゾーン温度ｔｚｓ以下の場合は簡易排気ファン３０を運転（窓部排気口１２からの空気排出を実施）し（♯６０）、現状の設定ゾーン温度ｔｚｓよりも高い場合は簡易排気ファン３０を停止する（♯６２）。
【０１５３】
一方、暖房運転でない場合は冷房運転か否かを判定し（♯５２）、冷房運転でない場合（すなわち、自然外気冷房運転、ハイブリッド自然外気冷房運転、強制外気冷房運転、ハイブリッド強制外気冷房運転のいずれかの場合）は、シーリングファン１０ｂを逆転運転する（♯５８）。
【０１５４】
また、冷房運転の場合は、設備管理システム３２による前記（Ｂ）の処理で演算したＰＭＶ値の絶対値が０．５よりも大きいか否かを判定し（♯５３）、ＰＭＶ値の絶対値が０．５よりも大きい場合は、そのＰＭＶ値が０．５よりも大きいか否かを判定して（♯５４）、０．５よりも大きい場合はシーリングファン１０ｂを正転運転し（♯５５）、０．５以下の場合はシーリングファン１０ｂを停止する（♯５６）。そして、ＰＭＶ値の絶対値が０．５以下の場合は、インテリア側ゾーン温湿度センサｓ３の検出温度ｔｚａが２６．５℃以上か否かを判定して（♯５７）、２６．５℃以上の場合はシーリングファン１０ｂを正転運転し（♯５５）、２６．５℃よりも低い場合はシーリングファン１０ｂを停止する（♯５６）。
【０１５５】
さらに、暖房運転でない場合には、ペリメータ側放射温度センサｓ６の検出放射温度ｔｘｂが現状の設定ゾーン温度ｔｚｓ以上か否かを判定し（♯６１）、現状の設定ゾーン温度ｔｚｓ以上の場合は簡易排気ファン３０を運転し（♯６０）、現状の設定ゾーン温度ｔｚｓよりも低い場合は簡易排気ファン３０を停止する（♯６２）。
【０１５６】
以上の一連の処理をもってシーリングファン１０ｂの運転制御、及び、簡易排気ファン３０の運転制御を完了し、これに続いては、設備管理システム３２によるゾーン温度制御のＯＮ／ＯＦＦスイッチ（管理者が切り換え操作するスイッチ）がＯＮか否かを判定し（♯６３）、ＯＮの場合は、設備管理システム３２による前記（Ｃ）の処理をもってゾーン温度制御を行い、その後にリターンする（♯６４）。また、ＯＦＦの場合は、設備管理システム３２による前記（Ｃ）の処理と同等の処理を空調制御盤１７において実行することでゾーン温度制御を行い、その後にリターンする（♯６５）。
【０１５７】
つまり、何らかの原因で設備管理システム３２が使用不能な状態になったときには、上記ＯＮ／ＯＦＦスイッチをＯＮ側からＯＦＦ側に切り換え操作することで、ゾーン温度制御を行えるようにしてある。
【０１５８】
以上の説明で用いた温度、ＰＭＶ値、時間などについての具体的な数値は、本実施形態の空調設備において採用した一例の値であり、これら数値には実際の運転条件等に応じて種々の値を採用できる。
【０１５９】
設備管理システム３２についてさらに詳述すると、設備管理システム３２は、ゾーン温度制御における最適設定ゾーン温度ｔｚｓの選択精度の向上、及び、モード選択制御における最適運転の選択制度の向上を目的として、前記（Ａ）〜（Ｃ）の処理の他、次の（Ｄ），（Ｅ）の処理を行う（図１０参照）。
【０１６０】
（Ｄ）空調対象ゾーンＺにおける居者（複数人）は、定期的に各自の端末器３３（一般にはオフィスにおける各自の作業用パーソナルコンピュータ）からオンライン管理系統を通じ、快適感及び着衣についてのアンケート申告ＡＤを設備管理システム３２のデータ更新部３２ｂに対して行うことにしてあり、このアンケート申告ＡＤでは、現状の体感的な寒暖状態が「非常に暑い」、「暑い」、「やや暑い」、「ちょうど良い」、「やや寒い」、「寒い」、「非常に寒い」のうちのいずれに該当するかを択一的に申告する快適感申告と、「作業服（冬服）」、「作業服（夏服）」、「セーター又はベスト」、「ワイシャツ又はブラウス」、「半袖シャツ又はＴシャツ」、「ネクタイ」、「靴」、「サンダル」のうち現状の着衣に該当するものを複数申告する着衣申告とを行う。
【０１６１】
快適感申告における上記「非常に暑い」〜「非常に寒い」の各項目には、相応のＰＭＶ値を例えば下記の如く対応付けてあり、
【数１４】
「非常に暑い」：ＰＭＶ値＝３
「暑い」：ＰＭＶ値＝２
「やや暑い」：ＰＭＶ値＝１
「ちょうど良い」：ＰＭＶ値＝０
「やや寒い」：ＰＭＶ値＝−１
「寒い」：ＰＭＶ値＝−２
「非常に寒い」：ＰＭＶ値＝−３
また、着衣申告における上記「作業服（冬服）」〜「サンダル」の各項目には相応の着衣量ＣＬ（ＣＬ１〜ＣＬ８）を対応付けてあり、データ更新部３２ｂは、アンケート申告ＡＤの集計処理として、各々のアンケート申告ＡＤにおける申告項目の対応ＰＭＶ値及び対応着衣量ＣＬを定期的に集計する。
【０１６２】
そして、データ更新部３２ｂは、着衣申告における上記着衣量ＣＬの月別集計値を対応月のアンケート申告数で除した値を各月の平均着衣量ＣＬｍ（言わば、各月の平均的な着衣状態を示す指標）として、各月毎に、その平均着衣量ＣＬｍを対応月の新たな着衣量データ値ＣＬｄとしてデータベース３２ａの月別データテーブルＤＴに上書（又は、平均着衣量ＣＬｍに基づき、データベース３２ａの月別データテーブルＤＴにおける対応月の着衣量データ値ＣＬｄを所定の補正演算により補正）し、これにより、データベース３２ａの月別データテーブルＤＴにおける各月の着衣量データ値ＣＬｄを対応月における現実の着衣状態に即したものに逐次、自動的に更新する。
【０１６３】
また、データ更新部３２ｂは、快適感申告における上記ＰＭＶ値の月別集計値を対応月のアンケート申告数で除した値を各月の平均ＰＭＶ値として、各月毎に、その平均ＰＭＶ値を用い前記（Ｂ）の処理におけるＰＭＶ値演算式から代謝量ＡＬを逆算するとともに、その逆算により求めた代謝量ＡＬを対応月の新たな代謝量データ値ＡＬｄとしてデータベース３２ａの月別データテーブルＤＴに上書（又は、逆算により求めた代謝量ＡＬに基づき、データベース３２ａの月別データテーブルＤＴにおける対応月の代謝量データ値ＡＬｄを所定の補正演算により補正）し、これにより、データベース３２ａの月別データテーブルＤＴにおける各月の代謝量データ値ＡＬｄを対応月における現実の代謝状態に即したものに逐次、自動的に更新する。
【０１６４】
なお、着衣量データ値ＣＬｄについての上記補正演算の一例としては、各月毎に上記平均着衣量ＣＬｍとデータベース３２ａの月別データテーブルＤＴにおける対応月の着衣量データ値ＣＬｄとの平均値を演算して、その演算平均値を対応月の新たな着衣量データ値ＣＬｄとしてデータベース３２ａの月別データテーブルＤＴに上書する形態の補正演算を挙げることができ、また同様に、代謝量データ値ＡＬｄについての上記補正演算の一例としては、各月毎に上記平均代謝量ＡＬｍとデータベース３２ａの月別データテーブルＤＴにおける対応月の代謝量データ値ＡＬｄとの平均値を演算して、その演算平均値を対応月の新たな代謝量データ値ＡＬｄとしてデータベース３２ａの月別データテーブルＤＴに上書する形態の補正演算を挙げることができる。
【０１６５】
（Ｅ）設備管理システム３２のデータ更新部３２ｂは、自然外気冷房運転の実施時、及び、ハイブリッド自然外気冷房運転の実施時の夫々において自然外気風量演算値Ｑｆを定期的に演算し、その際、外気冷房用排気ダクト２７における排気風量センサｓ１７の検出風量Ｑｅ（すなわち、自然外気風量の実測値）を採取して、自然外気風量演算値Ｑｆの定期的演算毎に、採取した検出風量Ｑｅ、及び、自然外気風量演算値Ｑｆの演算に用いた平均内外温度差Δｔｚｏ、検出風向ｄｗ、検出風速ｖｗの夫々をデータとして蓄積する。
【０１６６】
そして、データ更新部３２ｂは、その蓄積データに基づき、自然外気冷房運転の実施時、及び、ハイブリッド自然外気冷房運転の実施時の夫々において排気風量センサｓ１７により検出される風量Ｑｅと前述の次式により演算する自然外気風量演算値Ｑｆとの偏差ΔＱｅｆが縮小するように、自然外気風量演算値Ｑｆの演算に用いる次式の各係数ａ〜ｇを最小２乗法などの所定の補正演算により補正し、これにより、自然外気風量演算値Ｑｆの下記演算式を現実に即したものに逐次、自動的に更新する。
【数１５】
Ｑｆ＝ａ×Δｔｚｏ＋ｂ×｜ｓｉｎ（ｄｗ−θ）｜＋ｃ×ｖｗ２＋ｄ×ｖｗ＋ｅ×ｋ１＋ｆ×ｋ２＋ｇ
【０１６７】
なお、係数ａ〜ｇについての上記補正演算の一例としては、上記蓄積データの中から検出風向ｄｗどうしが近似し、かつ、検出風速ｖｗどうしが近似して、平均内外温度差Δｔｚｏ（Δｔｚｏ１〜ΔｔｚｏＮ）だけが互いに異なる複数のデータを抽出することで、上記演算式を次の形で表し得るようにする。
【数１６】
Ｑｆ＝ａ×Δｔｚｏ＋Ｌ
Ｌ：定数
Δｔｚｏ：Δｔｚｏ１〜ΔｔｚｏＮ
【０１６８】
つまり、自然外気冷房風量演算値Ｑｆを平均内外温度差Δｔｚｏについてのみの関数とみなせるようにする。
【０１６９】
そして、抽出した上記複数データ夫々の対応検出風量ＱｅがＱｅ１〜ＱｅＮであることに対し、次式のΣΔＱｅｆ２が最小となるａの値を演算し、その演算値を上記演算式の新たな係数ａとする。
【数１７】
ΣΔＱｅｆ２＝（Ｑｅ１−（ａ×Δｔｚｏ１＋Ｌ））２＋（Ｑｅ２−（ａ×Δｔｚｏ２＋Ｌ））２＋（Ｑｅ３−（ａ×Δｔｚｏ３＋Ｌ））２＋………＋（ＱｅＮ−（ａ×ΔｔｚｏＮ＋Ｌ））２
【０１７０】
また、これと同様にして上記演算式の新たな係数ｂ〜ｆを決定するとともに、上記演算式により演算する自然外気冷房風量演算値Ｑｆと検出風量Ｑｅとの間に定常的に存在する定常偏差分だけ係数ｇを補正する形態の補正演算を挙げることができる。
【０１７１】
以上要するに、本実施形態における前記（Ａ），（Ｅ）の処理について、インテリア側ゾーン温湿度センサｓ３、外気温湿度センサｓ７、外部風向センサｓ８、外部風速センサｓ９は、自然外気風量Ｑｆ（すなわち、自然通風利用空調運転としての自然外気冷房運転及びハイブリッド自然外気冷房運転の夫々において空調対象ゾーンＺに対し自然通風的に供給し得る外気風量）を変化させる変化要因Δｔｚｏ，ｄｗ，ｖｗの状態を検出する要因状態検出手段を構成し、また、外気冷房用の排気ダクト２７における排気風量センサｓ１７は、自然外気冷房運転及びハイブリッド自然外気冷房運転夫々の実施下において上記自然外気風量Ｑｆの実測値（すなわちＱｅ）を検出する風量検出手段を構成する。
【０１７２】
そして、設備管理システム３２は、上記要因状態検出手段ｓ３，ｓ７〜ｓ９の検出情報に基づき、次の設定演算式にしたがって自然外気風量Ｑｆを演算する風量演算手段を構成する。
【数１８】
Ｑｆ＝ａ×Δｔｚｏ＋ｂ×｜ｓｉｎ（ｄｗ−θ）｜＋ｃ×ｖｗ２＋ｄ×ｖｗ＋Ｋ（定数）
【０１７３】
また、この風量演算手段としての設備管理システム３２は、自然外気冷房運転及びハイブリッド自然外気冷房運転夫々の実施下において上記風量検出手段ｓ１７により検出した自然外気風量Ｑｆの実測値（＝Ｑｅ）と、その実測値を採取したときにおける上記要因状態検出手段ｓ３，ｓ７〜ｓ９の検出情報と、その実測値採取時における上記要因状態検出手段の検出情報ｓ３，ｓ７〜ｓ９に基づき前記設定演算式にしたがって演算した自然外気風量Ｑｆの演算値とに基づき、前記設定演算式を自動補正する構成にしてある。
【０１７４】
なお、上記例では、設定演算式を用いた自然外気風量Ｑｆの演算処理、及び、設定演算式の補正処理を自動的に行う場合を示したが、これらの処理（特に補正処理）を人為作業により行うようにしてもよい。
【０１７５】
〔別実施形態〕
前記の自然外気風量Ｑｆを演算するのに、前述の実施形態で示した演算式（すなわち、請求項３に係る発明の実施において使用する演算式）に代え、次の演算式を用いるようにしてもよい。
【数１９】
Ｑｆ＝ａ×（Δｔ／ｔｚ）１／２＋ｂ×ｋ１
【０１７６】
なお、この演算式において、
ａ，ｂ：係数
ｋ１：定数（シーリングファン１０ｂの逆転運転時にｋ１＝１、その他はｋ１＝０）
ｔｚ：ゾーン内温度（例えば、インテリア側ゾーン温湿度センサｓ３の検出温ｔｚａを採用）
Δｔ：天井裏排気チャンバ７のチャンバ内温度ｔｅと外気温度ｔｏとの差、あるいは、その差の所定時間についての平均値）
【０１７７】
つまり、この演算式は空調対象ゾーンからの排気を受ける排気チャンバのチャン内温度と外気温度との温度差をパラメータとする演算式であることから、この演算式を用いれば、演算した自然外気風量の演算値に、チャンバ内温度と外気温度との温度差の変化による風量変化分（特に上記演算式ではゾーン内温度の変化による風量変化分も含む）を効果的に反映させることができ、このことから、チャンバ内温度と外気温度との温度差による空気の比重差を利用して空調対象ゾーンに対し自然通風的に外気供給する場合に好適な演算方法になる。
【図面の簡単な説明】
【図１】空調設備の設備構成図
【図２】シーリングファン装置の下面図
【図３】シーリングファン装置の側面視における概略構造図
【図４】冷房運転の実施形態を示す図
【図５】ハイブリッド強制外気冷房運転の実施形態を示す図
【図６】強制外気冷房運転の実施形態を示す図
【図７】ハイブリッド自然外気冷房運転の実施形態を示す図
【図８】自然外気冷房運転の実施形態を示す図
【図９】暖房運転の実施形態を示す図
【図１０】オンライン管理系統を示す図
【図１１】設備管理システムによるモード選択制御のフローチャート
【図１２】設備管理システムによるゾーン温度制御のフローチャート
【図１３】空調制御全体のフローチャート
【図１４】空調制御全体のフローチャート
【図１５】空調制御全体のフローチャート
【図１６】空調制御全体のフローチャート
【図１７】空調制御全体のフローチャート
【符号の説明】
３２              風量演算手段
ＯＡ              外気
Ｑｆ              自然外気風量
ｓ３，ｓ７〜ｓ９  要因状態検出手段
ｓ１７            風量検出手段
ｄｗ              変化要因（風向）
Δｔｚｏ          変化要因（温度差）
ｖｗ              変化要因（風速）
Ｚ                空調対象ゾーン
【図１】
2004271094.tif 000003
【図２】
2004271094.tif 000004
【図３】
2004271094.tif 000005
【図４】
2004271094.tif 000006
【図５】
2004271094.tif 000007
【図６】
2004271094.tif 000008
【図７】
2004271094.tif 000009
【図８】
2004271094.tif 000010
【図９】
2004271094.tif 000011
【図１０】
2004271094.tif 000012
【図１１】
2004271094.tif 000013
【図１２】
2004271094.tif 000014
【図１３】
2004271094.tif 000015
【図１４】
2004271094.tif 000016
【図１５】
2004271094.tif 000017
【図１６】
2004271094.tif 000018
【図１７】
2004271094.tif 000019